(57)【要約】  救急車に取り付けるための基部及び基部と接続される骨組みを含む救急車用の折り畳み式ブラケット。骨組みは、収縮した位置と拡張した位置との間で可動であり、骨組みは、拡張した位置にあるとき救急車内で救急用簡易ベッドと係合し、収縮した位置にあるとき救急車内で救急用簡易ベッドと係合しない。
2010500909.tif 000002
【特許請求の範囲】
【請求項１】
救急車用のブラケットであって、
救急車に取り付けるための基部、及び該基部と接続され、収縮した位置と拡張した位置との間で可動である骨組みを備え、
前記骨組みが拡張した位置にあるとき救急車内の救急用簡易ベッドと係合する、前記ブラケット。
【請求項２】
前記骨組みが収縮した位置にあるとき前記救急車内の前記救急用簡易ベッドと係合しない、請求項１に記載のブラケット。
【請求項３】
請求項１に記載のブラケットにおいて、前記収縮した位置は、第一の高さと第一の幅とを有し、前記拡張した位置は、第二の高さと第二の幅とを有し、前記第二の高さ及び第二の幅は、前記第一の高さ及び第一の幅よりも大きい、ブラケット。
【請求項４】
請求項３に記載のブラケットであって、前記第一の高さ及び第一の幅は、前記救急用簡易ベッドが前記骨組みが前記救急用簡易ベッドに係合せずに前記骨組みの上方を且つ脇を通れるようなものとされ、前記第二の高さ及び第二の幅は、前記救急車内で前記骨組みが前記救急用簡易ベッドと係合するようにされる、ブラケット。
【請求項５】
請求項１に記載のブラケットであって、前記拡張した位置にあるとき、前記骨組みは、前記救急用簡易ベッドが前記救急車内で実質的に静止した状態にあるように、前記救急用簡易ベッドと係合する、ブラケット。
【請求項６】
請求項１に記載のブラケットであって、前記骨組みは、継手を使用して、前記基部と可動に接続される、ブラケット。
【請求項７】
請求項１に記載のブラケットであって、前記骨組みは、該骨組みが前記拡張した位置にあるとき、前記救急用簡易ベッドのそれぞれの側部に係合するための第一及び第二のアームを備える、ブラケット。
【請求項８】
請求項７に記載のブラケットであって、前記第一及び第二のアームは、前記救急用簡易ベッドのローラに係合し且つ、前記救急用簡易ベッドを前記救急車内で固定する、第一及び第二のフックを備える、ブラケット。
【請求項９】
請求項７に記載のブラケットであって、前記骨組みは、第一の支持端と、第二の支持端とを有する垂直支持体を備え、前記第一の支持端は前記基部と可動に接続され、前記第二の支持端は前記第一及び第二のアームと可動に接続される、ブラケット。
【請求項１０】
請求項９に記載のブラケットであって、
前記基部は、第一の基部端と、第二の基部端とを備え、
前記骨組みは、前記第一の基部端及び前記第二の支持端に可動に接続されたラッチバーと備え、
前記ラッチバーは、前記骨組みが収縮した位置にあるとき、収縮し、前記骨組みが拡張した位置にあるとき、拡張する、ブラケット。
【請求項１１】
救急車用のブラケットであって、
救急車に取り付けるための基部、及び前記基部と可動に接続される第一の係合装置を備え、
前記第一の係合装置が前記救急車内の前記救急用簡易ベッドと係合しない第一の位置と、前記救急車内の前記救急用簡易ベッドと係合する第二の位置との間で可動である、前記ブラケット。
【請求項１２】
請求項１１に記載のブラケットであって、前記第一の係合装置と対向して前記基部と可動に接続される第二の係合装置を更に備え、前記第二の係合装置が、前記救急車内の前記救急用簡易ベッドと係合しないように前記第二の係合装置を配置する前記第一の位置と、前記第二の係合装置が前記救急車内の前記救急用簡易ベッドと係合するように前記第二の係合装置を配置する前記第二の位置との間で可動である、前記ブラケット。
【請求項１３】
請求項１２に記載のブラケットであって、前記第一の係合装置及び前記第二の係合装置の前記第一の位置は、第一の高さと、第一の幅とを有し、前記第一の係合装置及び第二の係合装置の前記第二の位置は、第二の高さと、第二の幅とを有し、前記第二の高さ及び第二の幅は、前記第一の高さ及び第一の幅よりも大きい、ブラケット。
【請求項１４】
請求項１３に記載のブラケットであって、前記第一の高さ及び第一の幅は、前記救急用簡易ベッドが前記第一及び第二の係合装置と基部とが前記救急用簡易ベッドに係合せずに、前記第一及び第二の係合装置と基部との上方を且つ脇を通るようなものであり、前記第二の高さ及び第二の幅は、前記救急車内で前記第一及び第二の係合装置と基部とが前記救急用簡易ベッドと係合するようなものである、ブラケット。
【請求項１５】
請求項１２に記載のブラケットであって、前記第二の位置にあるとき、前記第一及び第二の係合装置は、前記救急車内で前記救急用簡易ベッドが実質的に静止した状態にあるように、前記救急用簡易ベッドと係合する、ブラケット。
【請求項１６】
請求項１２に記載のブラケットであって、前記第一及び第二の係合装置は、それぞれ第一及び第二のフックを備え、該第一のフック及び該第二のフックは、前記第一の装置及び前記第二の装置が前記第二の位置にあるとき、前記救急車内で前記救急用簡易ベッドの対向したローラに係合する、ブラケット。
【請求項１７】
救急車用のブラケットであって、
救急車に取り付けるための基部と、
前記基部と接続され且つ第一の位置と第二の位置との間で可動である第一のアームと、
前記第一のアームと対向して前記基部と接続され且つ前記第一の位置と前記第二の位置との間で可動である第二のアームと、を備え、
前記第一の位置は、前記第一及び第二のアームが前記救急車内の前記救急用簡易ベッドに係合しないように前記第一及び第二のアームを配設し、前記第二の位置は、前記第一及び第二のアームが前記救急車内の前記救急用簡易ベッドに係合するように前記第一のアーム及び第二のアームを配設する、ブラケット。
【請求項１８】
請求項１７に記載のブラケットであって、前記第一の位置は、前記第一及び第二のアームが第一の高さと第一の幅とを有するように前記第一及び第二のアームを配置し、前記第二の位置は、前記第一及び第二のアームが前記第一の高さ及び第一の幅よりも大きい第二の高さと第二の幅とを有するように前記第一及び第二のアームを配置する、ブラケット。
【請求項１９】
請求項１７に記載のブラケットであって、前記第一及び第二のアームは、前記第二の位置にあるとき、前記救急車内で前記救急用簡易ベッドが動くのを防止する、ブラケット。
【請求項２０】
請求項１７に記載のブラケットであって、前記第一及び第二のアームと接続され、前記第一及び第二のアームを静止した位置で係止することを可能にするレバーを更に備える、ブラケット。
【発明の詳細な説明】
【技術分野】
【０００１】
本発明は、全体として、救急用簡易ベッド（emergency cot）に係合するブラケットに関する。より詳細には、本発明は、救急用簡易ベッドに係合し又はその救急用簡易ベッドを救急車（emergency vehicle）内で実質的に水平に保持する折り畳み式ブラケット（collapsible bracket）に関する。
【背景技術】
【０００２】
救急車及び救急車内に配置される救急用簡易ベッドは、当該技術において周知である。多岐にわたる型式の救急車及び救急用簡易ベッドが商業的に入手可能である。これらの救急車及び救急用簡易ベッドは、民間及び軍事用途の双方で使用される。
【発明の概要】
【課題を解決するための手段】
【０００３】
本発明は、救急用簡易ベッドに係合し又は救急用簡易ベッドを救急車内で固定（securing）するブラケットを対象とする。本発明の１つの実施の形態は、救急車に取り付けるための基部（base）と、その基部と接続される骨組み（framework）とを含む、救急車用のブラケットである。骨組みは、収縮した位置と拡張した位置との間で可動であり、骨組みは、拡張した位置にあるとき、救急車内で救急用簡易ベッドと係合する。本発明の別の実施の形態は、救急車に取り付けるための基部と、その基部と可動に接続された第一の係合装置とを含む、救急車用のブラケットである。第一の係合装置は、第一の係合装置が救急車内で救急用簡易ベッドと係合しない第一の位置と、第一の係合装置が救急車内で救急用簡易ベッドと係合する第二の位置との間で可動である。
【０００４】
本発明の更に別の実施の形態は、救急車に取り付けるための基部と、その基部と接続された第一のアームと、第一のアームに対向して基部と接続された第二のアームとを含む、救急車用のブラケットである。第一及び第二のアームは、第一の位置と、第二の位置との間を可動である。第一の位置は、第一及び第二のアームをこれらのアームが救急車内で救急用簡易ベッドと係合しないように配設する。第二の位置は、第一及び第二のアームをこれらのアームが救急車内で救急用簡易ベッドと係合するように配設する。本明細書には、本発明を明確に摘出し且つ権利を主張する特許請求の範囲が添付されるが、本明細書は、添付図面と共に検討したとき、以下の説明から一層良く理解できると考えられる。
【図面の簡単な説明】
【０００５】
【図１】図１は、本発明の１つの実施の形態に従った、一例としての折り畳み式ブラケットの分解斜視図である。
【図２】図２は、収縮した位置にある、図１に示した一例としての折り畳み式ブラケットの頂面平面図である。
【図３】図３は、図２に示した一例としての折り畳み式ブラケットの側面図である。
【図４】図４は、拡張した位置にある、図１に示した一例としての折り畳み式ブラケットの頂面平面図である。
【図５】図５は、図４に示した一例としての折り畳み式ブラケットの側面図である。
【発明を実施するための形態】
【０００６】
図面に示した実施の形態は、性質上、単に説明のためのものであり、請求項により規定される本発明を限定することを意図するものではない。更に、図面及び本発明の個々の特徴は、詳細な説明を参照することにより完全に明らかとなり且つ理解されよう。次に、図面の全体を通して同様の要素を同様の番号で示す添付図面にその例を示した、本発明の色々な実施の形態に関して詳細に説明する。
【０００７】
図１−図５を参照すると、救急車内で救急用簡易ベッドと係合する、折り畳み式ブラケット１０の一例としての実施の形態が示される。折り畳み式ブラケット１０は、救急車、ヘリコプター、飛行機又は任意のその他の救急車のような多岐にわたる型式の救急車と共に、使用されて、救急車内に配置、積載又は保持された救急用簡易ベッドに係合し又は救急用簡易ベッドを固定する。例えば、折り畳み式ブラケット１０は、そのブラケットが救急用簡易ベッドを救急車内の実質的に静止した位置で固定し又は保持するように救急用簡易ベッドと係合することができる。折り畳み畳み式ブラケット１０は、救急車の後部室内で内面（例えば、床）にボルト止めし又は溶接する等により救急車に恒久的に又は取り外し可能に装着することができる。折り畳み式ブラケット１０及びその全ての構成要素は、金属（例えば、スチール、ステンレススチール、アルミニウム等）、複合材又はこれらの任意の組み合わせを含むが、これらにのみ限定されない多岐にわたる型式の従来の材料で製造することができる。一例としての実施の形態において、折り畳み式ブラケット１０は、スチールで製造される。
【０００８】
図示した一例としての実施の形態における折り畳み式ブラケット１０は、救急車の内部室の床に溶接する等によって救急車に装着することができる基部１２を含む。基部１２は、第一の基部端１４と、その第一の基部端１４に対向する第二の基部１６とを含むことができる。折り畳み式ブラケット１０は、収縮した位置（折り畳み又は折り込んだ位置）（図２及び図３）から拡張した位置（折り畳まない又は折り込まない位置）（図４及び図５）まで動くことができるように、基部１２と可動に接続される骨組みを含むこともできる。骨組みは、骨組みが拡張した位置にあるとき、救急車内で救急用簡易ベッドと係合し、また、骨組みが収縮した位置にあるとき、救急用簡易ベッドと係合しない、任意の構造体すなわち装置を備えることができる。
【０００９】
図示した一例としての実施の形態において、骨組みは、第一のアーム継手２８を使用して第一の基部端１４と可動に接続された第一のアーム２２と、第二のアーム継手２９を使用して第一のアーム２２に対向して第一の基部端１４と可動に接続された第二のアーム２４とを含む。この一例としての実施の形態において、第一及び第二のアーム継手２８、２９は、袋ねじ６０を使用して第一の基部端１４上でピン４に回転可能に取り付けることができる。第一及び第二のアーム２２、２４は、それぞれの袋ねじ６２及びナット６４を使用してそれぞれの第一及び第二の継手２８、２９に可動に取り付けられる。この実施の形態において、第一及び第二のアーム継手２８、２９は、２つの軸線の回りで回転可能である。しかし、本発明と共に単一軸線継手又は多数軸線継手（２つ以上の軸線の回りで回転可能）を使用することができることが理解される。
【００１０】
第一のアーム２２及び第二のアーム２４は、第一及び第二のアーム継手２８、２９に対向する第一及び第二のアームの一端にそれぞれ配置された、第一のフック２１と、第二のフック２５とをそれぞれ含むことができる。第一及び第二のフック２１、２５は、救急用簡易ベッドと係合して、救急用簡易ベッドのそれぞれの脚部、車輪、車輪キャスタ、又はローラ（例えば、救急用簡易ベッド１００のローラ１０２、図６）を救急車内で実質的に静止した位置に保持し、固定し又は係止する（救急用簡易ベッドが動くのを防止する）ことが可能な任意の装置とすることができる。
【００１１】
骨組みは、第一の支持端３２と、第二の支持端３４と、第二の支持端３４に配置されたピン３とを有する垂直支持体３０を含むこともできる。第一の支持端３２は、第一の支持継手３１を使用して第二の基部端１６と可動に接続される。骨組みは、第一のアーム２２を垂直支持体３０に接続する第一の連結機構５０と、第一の連結機構５０に対向して垂直支持体３０に沿って配置されて、第二のアーム２４を垂直支持体に同様に接続する第二の連結機構５２とを含むこともできる。第一の連結機構５０は、袋ねじ６２及びナット６４を含むことのできる第一の連結継手５１を使用して第一のフック２１の付近で第一のアーム２２と可動に接続される。
【００１２】
第一の連結機構５０は、また、第二の連結継手５３、袋ねじ６２及びナット６４を使用して、第二の支持端３４付近で垂直支持体３０と可動に接続される。第二の連結継手５３は、袋ねじ６０を使用してピン３と可動に接続することができる。第二の連結機構５２は、第三の連結継手５４、袋ねじ６２及びナット６４を使用して第二のフック２５付近で第二のアーム２４と可動に接続される。第二の連結機構５２は、また、第四の連結継手５５、袋ねじ６２及びナット６４を使用して、第二の支持端３４付近で垂直支持体３０と可動に接続される。
【００１３】
図示した一例としての実施の形態において、第一及び第三の連結継手５１、５４は、当該技術の当業者に既知の従来のヒンジのような、単一軸線の継手である。更に、第二及び第四の連結継手５３、５５は、一例としての実施の形態において、当該技術の当業者に既知であるように、２つの軸線の回りで回転可能にある継手である。当該技術の当業者に既知であるように、第一、第二、第三又は第四の連結継手に代えてその他の従来の継手を使用してもよく、これは、単一、多数（２つ以上の回転軸線）、任意のその他の型式の可動接続部、又はそれらの任意の組み合わせを含むが、これらにのみ限定されるものではない。
【００１４】
一例としての実施の形態における骨組みは、第一の基部端１４と、第二の支持端３４との間で接続されたラッチバー４０を含むこともできる。ラッチバー４０は、垂直支持体３０の向きに依存して、長さが拡張し及び収縮する、すなわち拡張可能な構成とすることができる。図示した一例としての実施の形態において、ラッチバー４０は、内側円筒４１と、外側円筒４２とを含む。内側円筒４１の円筒内端４６は、第二の支持継手３６、袋ねじ６２及びナット６４を使用して第二の支持端部３４で垂直支持体３０と可動に接続することができる。
【００１５】
更に、外側円筒４２の円筒外端４４は、第一の基部継手１８及び２つの袋ねじ６２を使用して第一の基部端１４で基部１２と可動に接続することができる。垂直支持体３０が実質的に水平の向きにあるとき、内側円筒４１は、図２及び図３に示したように、外側円筒４２内に実質的に保持される。垂直支持体３０が実質的に垂直位置まで動いたとき、ラッチバーは、内側円筒４１が外側円筒４２から摺動するため拡張し、内側円筒４１及び外側円筒４２は、図１、図４及び図５に示したように、実質的に端部同士を合わせた状態となる（それぞれ４５と４３）。ラッチバーは、内側円筒４１の端部４５、及び外側円筒４２の端部４３に配置されたレバー１と、係止ピン２とを含み、ラッチバー４０をこの拡張した長さで係止し又は非係止状態にし、ラッチバーが収縮することを許容することもできる。
【００１６】
上述したように、折り畳み式ブラケット１０の骨組みは、図２及び図３に示した収縮位置（折り畳み及び（又は）折り込み位置）と、図４及び図５に示した拡張位置（折り畳まない及び（又は）折り込まない位置）との２つの位置の間で可動である。収縮した位置にあるとき、第一及び第二の連結機構５０、５２は、折り畳まれて、これらの機構が基部１２に並んで（基部に対して）実質的に平行な位置で折り込まれ又は折り畳まれ、また、垂直支持体３０は、ラッチバー４０を収縮させる水平の向きにあり、第一及び第二のアーム２２、２４は、収縮し（折り畳まれ）、これらのアームが基部１２と整合され且つその基部１２と並んだ実質的に平行で且つ水平な位置にあるようにする。
【００１７】
換言すれば、第一及び第二のアーム２２、２４は、持ち上げられていない位置にあり、折り畳み式ブラケット１０は、実質的に平坦である。この収縮した位置において、折り畳み式ブラケット１０は、ブラケット１０の何れの構成要素（例えば、第一及び第二のフック２１、２５）が救急用簡易ベッドが救急車内に積載され又は救急車から降ろされるとき、その救急用簡易ベッドの動きと干渉することなく、救急用簡易ベッドが折り畳み式ブラケットの上方を且つそのブラケットの脇を通る（ロールする）ことを許容する構成とされた高さＨ１（図２）及び幅Ｗ１（図３）を有する。
【００１８】
拡張した位置にあるとき、第一及び第二の連結機構５０、５２は拡張され（折り畳まれず及び（又は）折り込まれず）、これらの機構は基部１２から実質的に垂直に伸び（図４）、垂直支持体３０は、垂直に向き（図５）、この向きは、ラッチバー４０を伸ばし（内側円筒４１及び外側円筒４２は実質的に端部同士を合わせた状態となる）、第一及び第二のアーム２２、２４は、拡張されて、これらのアームは、基部１２から上方に且つ離れるように実質的に伸びるようにする（図１、図４及び図５）。この拡張した位置において、折り畳み式ブラケット１０は、救急用簡易ベッドが救急車内に積載された後、第一及び第二のフック２１、２５がその救急用簡易ベッドと係合し、その救急用簡易ベッドを車内で実質的に静止した位置に固定し又は保持することを許容する構成とされた高さＨ２（図４）及び幅Ｗ２（図５）を有する。換言すれば、折り畳み式ブラケット１０は、高さＨ２及び幅Ｗ２が高さＨ１及び幅Ｗ１を上廻るような構成とすることができる。
【００１９】
図６に示した一例としての実施の形態において、救急用簡易ベッド１００は、その救急用簡易ベッドの４隅の各々に１つずつ設けられた４つのローラ１０２を含み、救急用簡易ベッドはこのローラ上で休止し且つロールする。図示したように、折り畳み式ブラケット１０は、そのブラケットが収縮した位置にあるとき、その幅Ｗ１は、ローラ１０２の幅Ｗ１よりも狭く、救急用簡易ベッドがそれぞれの第一及び第二のフック２１、２５によりロールすることを許容し、また、その高さＨ１は、救急用簡易ベッドが救急車に積載され又は救急車から降ろされるとき、折り畳み式ブラケット１０が救急用簡易ベッドの動きに干渉することなく、救急用簡易ベッドが折り畳み式ブラケット１０の上方をロールするのを許容するのに十分低い。
【００２０】
一例としての折り畳み式ブラケットは、約２．５４ｃｍ（約１インチ）から約５０．８ｃｍ（約２０インチ）、より詳細には、約１２．７ｃｍ（約５インチ）から約３８．１ｃｍ（約１５インチ）に等しい幅Ｗ１と、約０．２５４ｃｍ（約０．１インチ）から約３０．４８ｃｍ（約１２インチ）、より詳細には、約２．５４ｃｍ（約１．０インチ）から約１２．７ｃｍ（約５インチ）に等しい高さＨ１と、約３８．１ｃｍ（約１５インチ）から約７６．２ｃｍ（約３０インチ）、より詳細には、約４５．７２ｃｍ（約１８インチ）から約６３．５ｃｍ（約２５インチ）の幅Ｗ２と、約７．６２ｃｍ（約３インチ）から約２５．４ｃｍ（約１０インチ）、より詳細には、約１０．１６ｃｍ（約４インチ）から約２０．３２ｃｍ（約８インチ）の高さＨ２とを有する構成とすることができる。
【００２１】
別の一例としての折り畳み式ブラケットは、約３４．２９ｃｍ（約１３．５インチ）以下の幅Ｗ１と、約６．３５ｃｍ（約２．５インチ）以下の高さＨ１と、約５０．８ｃｍ（約２０インチ）以上の幅Ｗ２と、約１５．２４ｃｍ（約６インチ）以上の高さＨ２とを有するような構成とすることができる。更に、折り畳み式ブラケット１０は、拡張した位置にあるとき、その幅Ｗ２はローラ１０２の幅Ｗ１より大きく、また、その高さＨ２は、第一及び第二のフック２１、２５がそれぞれのローラ１０２と係合して簡易ベッド１００を救急車内で実質的に静止した位置に保持し又は固定するような構成とされる。例えば、折り畳み式ブラケット１０は、拡張した位置にあるとき、救急用簡易ベッド１００が救急車内で実質的に動くのを防止し又は全然、動かないようにする（例えば、ローリングしない）。かかる折り畳み式ブラケットは、救急用簡易ベッドの各々を固定するため極めて僅かな労力しか必要とせずに、救急車内に積載された多数の救急用簡易ベッドを固定するため多数のブラケットを使用することを許容する。
【００２２】
本発明の詳細な説明に記載した全ての文献は、関連する部分にて、参考として引用し本明細書に含められる。いかなる文献の引用も、それは本発明に関する先行技術であることを認めるものと解釈されるべきではない。この文献で使用される用語の任意の意味又は定義が参考として引用し本明細書に含めた文献に使用される用語の全ての意味又は定義と一致しない場合、本明細書にてこの用語について用いた意味又は定義が優先するものとする。
【００２３】
本発明は、特定の実施の形態について図示し且つ説明したが、当該技術の当業者には、本発明の思想及び範囲から逸脱せずに、色々なその他の変更及び改変を為すことができることが明らかであろう。このため、本発明の範囲に属するかかる全ての変更例及び改変例を特許請求の範囲に包合することを意図するものである。
【図１】
2010500909.tif 000003
【図２】
2010500909.tif 000004
【図３】
2010500909.tif 000005
【図４】
2010500909.tif 000006
【図５】
2010500909.tif 000007
【手続補正書】
【提出日】平成21年4月27日(2009.4.27)
【手続補正１】
【補正対象書類名】明細書
【補正対象項目名】００１９
【補正方法】変更
【補正の内容】
【００１９】
一例としての実施の形態において、救急用簡易ベッドは、その救急用簡易ベッドの４隅の各々に１つずつ設けられた４つのローラを含み、救急用簡易ベッドはこのローラ上で休止し且つロールする。折り畳み式ブラケット１０は、そのブラケットが収縮した位置にあるとき、その幅Ｗ１は、このローラの幅Ｗ１よりも狭く、救急用簡易ベッドがそれぞれの第一及び第二のフック２１、２５によりロールすることを許容し、また、その高さＨ１は、救急用簡易ベッドが救急車に積載され又は救急車から降ろされるとき、折り畳み式ブラケット１０が救急用簡易ベッドの動きに干渉することなく、救急用簡易ベッドが折り畳み式ブラケット１０の上方をロールするのを許容するのに十分低い。
【手続補正２】
【補正対象書類名】明細書
【補正対象項目名】００２１
【補正方法】変更
【補正の内容】
【００２１】
別の一例としての折り畳み式ブラケットは、約３４．２９ｃｍ（約１３．５インチ）以下の幅Ｗ１と、約６．３５ｃｍ（約２．５インチ）以下の高さＨ１と、約５０．８ｃｍ（約２０インチ）以上の幅Ｗ２と、約１５．２４ｃｍ（約６インチ）以上の高さＨ２とを有するような構成とすることができる。更に、折り畳み式ブラケット１０は、拡張した位置にあるとき、その幅Ｗ２はローラの幅Ｗ１より大きく、また、その高さＨ２は、第一及び第二のフック２１、２５がそれぞれのローラと係合して簡易ベッドを救急車内で実質的に静止した位置に保持し又は固定するような構成とされる。例えば、折り畳み式ブラケット１０は、拡張した位置にあるとき、救急用簡易ベッドが救急車内で実質的に動くのを防止し又は全然、動かないようにする（例えば、ローリングしない）。かかる折り畳み式ブラケットは、救急用簡易ベッドの各々を固定するため極めて僅かな労力しか必要とせずに、救急車内に積載された多数の救急用簡易ベッドを固定するため多数のブラケットを使用することを許容する。
【国際調査報告】
2010500909.tif 000008
2010500909.tif 000009